【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
ネットワークを介して、複数の付加機能が装着可能なネットワーク装置に接続可能な情報処理装置であって、
前記ネットワーク装置に装着可能な付加機能を示す情報を取得する第１の取得手段と、
前記ネットワーク装置から前記ネットワーク装置に装着されている付加機能を示す情報を取得する第２の取得手段と、
前記第１の取得手段が取得した情報と、前記第２の取得手段が取得した情報とに基づいて、前記ネットワーク装置に装着されている付加機能と前記ネットワーク装置に未装着の付加機能とを識別可能に提示する提示手段とを備えることを特徴とする情報処理装置。
【請求項２】
前記第１の取得手段は、前記ネットワーク装置から前記ネットワーク装置に装着可能な付加機能を示す情報を取得することを特徴とする請求項１に記載の情報処理装置。
【請求項３】
前記第１の取得手段は、前記ネットワークを介して前記情報処理装置と接続される他のネットワーク装置から前記ネットワーク装置に装着可能な付加機能を示す情報を取得することを特徴とする請求項１に記載の情報処理装置。
【請求項４】
前記他の装置を特定するための特定情報を前記ネットワーク装置から取得する第３の取得手段を有し、
前記第１の取得手段は、前記特定情報により特定される他のネットワーク装置から前記ネットワーク装置に装着可能な付加機能を示す情報を取得することを特徴とする請求項３に記載の情報処理装置。
【請求項５】
前記第１の取得手段は前記ネットワーク装置に装着可能な付加機能を示す情報を前記付加機能に対応する画像情報とともに取得し、
前記提示手段は、前記ネットワーク装置に装着されている付加機能と前記ネットワーク装置に未装着の付加機能とを前記画像情報に基づいて表示することを特徴とする請求項１乃至４のいずれかに記載の情報処理装置。
【請求項６】
前記第１の取得手段は、前記ネットワーク装置から前記ネットワーク装置に装着可能な付加機能に対応する画像情報を取得することを特徴とする請求項５に記載の情報処理装置。
【請求項７】
前記提示手段が前記ネットワーク装置に未装着の付加機能とを識別可能に提示するか否かを切り換え手段を有することを特徴とする請求項１乃至６のいずれかに記載の情報処理装置。
【請求項８】
ネットワークを介して、複数の付加機能が装着可能なネットワーク装置に接続可能な情報処理装置における情報処理方法であって、
前記ネットワーク装置に装着可能な付加機能を示す情報を取得する第１の取得工程と、
前記ネットワーク装置から前記ネットワーク装置に装着されている付加機能を示す情報を取得する第２の取得工程と、
前記第１の取得工程で取得された情報と、前記第２の取得工程で取得された情報とに基づいて、前記ネットワーク装置に装着されている付加機能と前記ネットワーク装置に未装着の付加機能とを識別可能に提示する提示工程とを備えることを特徴とする情報処理方法。
【請求項９】
前記第１の取得工程は、前記ネットワーク装置から前記ネットワーク装置に前記装着可能な付加機能を示す情報を取得することを特徴とする請求項８に記載の情報処理方法。
【請求項１０】
前記第１の取得工程は、前記ネットワークを介して前記情報処理装置と接続される他のネットワーク装置から前記ネットワーク装置に装着可能な付加機能を示す情報を取得することを特徴とする請求項８に記載の情報処理方法。
【請求項１１】
前記他の装置を特定するための特定情報を前記ネットワーク装置から取得する第３の取得工程を有し、
前記第１の取得工程は、前記特定情報により特定される他のネットワーク装置から前記ネットワーク装置に装着可能な付加機能を示す情報を取得することを特徴とする請求項１０に記載の情報処理方法。
【請求項１２】
複数の付加機能が装着可能なネットワーク装置と、前記ネットワーク装置とネットワークを介して接続された情報処理装置を有する情報処理システムであって、
ネットワーク装置が装着可能な付加機能を示す情報を取得する第１の取得手段と、
前記ネットワーク装置に装着されている付加機能を示す情報を取得する第２の取得手段と、
前記第１の取得手段が取得した情報と、前記第２の取得手段が取得した情報とに基づいて、前記ネットワーク装置に装着されている付加機能と前記ネットワーク装置に未装着の付加機能とを前記情報処理装置にて識別可能に提示する提示手段とを備えることを特徴とする情報処理システム。
【請求項１３】
請求項８乃至１１のいずれかに記載の情報処理方法をコンピュータに実行させるための制御プログラム。
【請求項１４】
請求項８乃至１１のいずれかに記載の情報処理方法をコンピュータに実行させるための制御プログラムを格納する記憶媒体。
【手続補正２】
【補正対象書類名】明細書
【補正対象項目名】０００９
【補正方法】変更
【補正の内容】
【０００９】
【課題を解決するための手段】
上記の目的を達成するための本発明による情報処理装置は以下の構成を備える。すなわち、
ネットワークを介して、複数の付加機能が装着可能なネットワーク装置に接続可能な情報処理装置であって、
前記ネットワーク装置に装着可能な付加機能を示す情報を取得する第１の取得手段と、
前記ネットワーク装置から前記ネットワーク装置に装着されている付加機能を示す情報を取得する第２の取得手段と、
前記第１の取得手段が取得した情報と、前記第２の取得手段が取得した情報とに基づいて、前記ネットワーク装置に装着されている付加機能と前記ネットワーク装置に未装着の付加機能とを識別可能に提示する提示手段とを備。
【手続補正３】
【補正対象書類名】明細書
【補正対象項目名】００１０
【補正方法】変更
【補正の内容】
【００１０】
また、上記の目的を達成するための本発明による情報処理方法は、
ネットワークを介して、複数の付加機能が装着可能なネットワーク装置に接続可能な情報処理装置における情報処理方法であって、
前記ネットワーク装置に装着可能な付加機能を示す情報を取得する第１の取得工程と、
前記ネットワーク装置から前記ネットワーク装置に装着されている付加機能を示す情報を取得する第２の取得工程と、
前記第１の取得工程で取得された情報と、前記第２の取得工程で取得された情報とに基づいて、前記ネットワーク装置に装着されている付加機能と前記ネットワーク装置に未装着の付加機能とを識別可能に提示する提示工程とを備える。
【手続補正４】
【補正対象書類名】明細書
【補正対象項目名】００１１
【補正方法】変更
【補正の内容】
【００１１】
更に、上記の目的を達成するための本発明の情報処理システムは、
複数の付加機能が装着可能なネットワーク装置と、前記ネットワーク装置とネットワークを介して接続された情報処理装置を有する情報処理システムであって、
ネットワーク装置が装着可能な付加機能を示す情報を取得する第１の取得手段と、
前記ネットワーク装置に装着されている付加機能を示す情報を取得する第２の取得手段と、
前記第１の取得手段が取得した情報と、前記第２の取得手段が取得した情報とに基づいて、前記ネットワーク装置に装着されている付加機能と前記ネットワーク装置に未装着の付加機能とを前記情報処理装置にて識別可能に提示する提示手段とを備える。
【手続補正５】
【補正対象書類名】明細書
【補正対象項目名】００５４
【補正方法】変更
【補正の内容】
【００５４】
【発明の効果】
以上説明したように、本発明によれば、ネットワーク装置に装着されている付加機能とネットワーク装置に未装着の付加機能とを識別可能に提示するので、ネットワーク装置に付加機能を追加してネットワーク装置の機能を向上させる場合に、ネットワーク装置に未装着の付加機能を容易に識別することができる。